(57)【要約】【課題】既設の窓サッシ枠と新設の窓サッシ枠との間に遮光装置を設けるにあたって、遮光性の高い建物の窓構造を提供する。【解決手段】  二重窓１０は、外窓２０と、外窓２０に対して室内側に配置される内窓３０とを備える。外窓２０及び内窓３０は、それぞれ外窓枠２１及び内窓枠３１と、障子２２及び障子３２とを備えている。外窓２０と内窓３０との間には、軸部とスクリーン４２とを備えるロールスクリーン４０が設けられている。スクリーン４２が上から下へと垂れ下がることにより、外窓空間１６と内窓空間１７とが仕切られ、内窓空間１７が遮光される。内窓空間１７において、内窓枠３１に沿って追加枠５０が形成されている。追加枠５０は、開口部１３の全内周において設けられており、垂れ下がったスクリーン４２の四辺の端部と開口方向ｄ１に重なるように配置される。【選択図】      図１
2020029701.tif 000002
【特許請求の範囲】
【請求項１】
建物の開口部において既設の第１窓サッシ枠よりも屋内側に新設の第２窓サッシ枠が配置された建物の窓構造であって、
前記第１窓サッシ枠と前記第２窓サッシ枠との間には所定の窓間空間が設けられ、
前記窓間空間の上部には、遮光部材を出し入れ可能に収納した遮光装置が設けられ、
前記遮光部材は、前記窓間空間の上から下へと垂れ下がり、前記窓間空間を前記第１窓サッシ枠側の第１空間と前記第２窓サッシ枠側の第２空間とに仕切ることにより前記第２空間から屋内側を遮光する構成とされており、
前記窓間空間の幅方向両側面において、対向する側面に向かって突出する第１枠部材が上下方向全体にわたって形成され、
前記第１枠部材は、前記窓間空間の上から下へと垂れ下がった前記遮光部材の両側端部と前記窓間空間の屋内外方向に重なるように構成されることを特徴とする建物の窓構造。
【請求項２】
前記窓間空間の下面において、対向する上面に向かって突出する第２枠部材が前記窓間空間の幅方向全体にわたって形成され、
前記第２枠部材は、前記窓間空間の上から下へと垂れ下がった前記遮光部材の下端部と前記窓間空間の屋内外方向に重なるように構成され、
前記窓間空間の上面において、対向する下面に向かって突出する第３枠部材が前記窓間空間の幅方向全体にわたって形成され、
前記第３枠部材は、前記遮光装置と前記窓間空間の上面との間の空間を隠すように配置される、請求項１に記載の建物の窓構造。
【請求項３】
前記遮光装置が、軸部を備えており、前記軸部に前記遮光部材を巻回することにより前記遮光部材を収納する構成とされており、
前記第１枠部材、前記第２枠部材及び前記第３枠部材は、前記軸部からの前記遮光部材の繰り出し側に設けられる、請求項２に記載の建物の窓構造。
【請求項４】
前記窓間空間の屋内外方向における前記遮光装置と前記第３枠部材との間、かつ前記窓間空間の高さ方向における前記遮光装置の前記軸部と前記窓間空間の上面との間に位置決め部材が設けられ、
前記遮光部材は、前記位置決め部材の上部を経由して前記窓間空間の上から下へと垂れ下がる、請求項３に記載の建物の窓構造。
【請求項５】
屋内外方向における前記第１空間の厚みと前記第２空間の厚みとが、前記第１空間：前記第２空間＝４〜６：６〜４の比である、請求項１〜４のいずれか１項に記載の建物の窓構造。
【請求項６】
前記第１空間及び前記第２空間の屋内外方向における厚みは、３０ｍｍ以下である、請求項１〜５のいずれか１項に記載の建物の窓構造。
【請求項７】
前記第１空間の屋内外方向における厚みは、２０ｍｍ以上である、請求項１〜６のいずれか１項に記載の建物の窓構造。
【発明の詳細な説明】
【技術分野】
【０００１】
本発明は、既設の窓サッシ枠と新設の窓サッシ枠との間に遮光装置を備える建物の窓構造に関する。
【背景技術】
【０００２】
近年、建築物の開口部において二重窓が多く用いられている。このような二重窓は、二重構造の窓（外窓、内窓）により遮音性、断熱性等を確保するものである（例えば、特許文献１）。
【０００３】
この種の二重窓において、既設の外窓の内側に新設の内窓を設けて二重窓とする場合がある。内窓の新設により二重窓とする場合、新たに二重窓そのもの（外窓及び内窓）を新設するよりも容易であり、大規模な改修をすることなく遮音性、断熱性等の高い効果を得ることができるため、近年では需要が高い。
【先行技術文献】
【特許文献】
【０００４】
【特許文献１】特開２０１７−１２８８８９号公報
【発明の概要】
【発明が解決しようとする課題】
【０００５】
二重窓において、遮光目的としたカーテン等を設ける場合、内窓の内側に設けるケースと、内窓と外窓との間に設けるケースとが考えられる。二重窓が取り付けられるとして設計された建築物の場合は、内窓の内側に予めカーテン等が垂れ下がるためのスペースが確保されている。そのため、カーテン等の存在により建築物内の空間が圧迫される感覚が生じにくい。また、内窓の内側にカーテン等が設けられる場合、内窓全体を覆って、窓よりも広い面積でカーテンが取り付けられるため、窓からの光漏れが抑制できる。
【０００６】
一方、既存の窓に内窓を新設することにより二重窓とした場合、内窓を取り付けたことにより建築物内の空間が狭まる。この場合に、内窓の内側にカーテン等を設けると、カーテン等の存在により建築物内の空間がさらに狭まり、居住者が圧迫感を感じることがある。そのため、このような場合は、内窓と外窓との間（以下、窓間）にカーテン等を取り付けることが多い。
【０００７】
窓間にカーテン等を取り付ける場合、その窓間の空間内にカーテンが配置されるため、窓間空間の断面全体を覆うことはできない。そのため、例えば、窓間空間とカーテンとの間に隙間が生じ、太陽光や屋外照明などの屋外側からの光がその隙間を通じて屋内側へと入射する。光等による明るさ感覚は相対的なものであり、暗い屋内側にいる人にとって、このような隙間からの光の入射、すなわち光漏れは不快感が生じやすい。
【０００８】
本発明は、上記実情に鑑みてなされたものであり、既設の窓サッシ枠と新設の窓サッシ枠との間に遮光装置を設けるにあたって、遮光性の高い建物の窓構造を提供することを目的とする。
【課題を解決するための手段】
【０００９】
上記課題を解決すべく、第１の発明の建物の窓構造は、
建物の開口部において既設の第１窓サッシ枠よりも屋内側に新設の第２窓サッシ枠が配置された建物の窓構造であって、
前記第１窓サッシ枠と前記第２窓サッシ枠との間には所定の窓間空間が設けられ、
前記窓間空間の上部には、遮光部材を出し入れ可能に収納した遮光装置が設けられ、
前記遮光部材は、前記窓間空間の上から下へと垂れ下がり、前記窓間空間を前記第１窓サッシ枠側の第１空間と前記第２窓サッシ枠側の第２空間とに仕切ることにより前記第２空間から屋内側を遮光する構成とされており、
前記窓間空間の幅方向両側面において、対向する側面に向かって突出する第１枠部材が上下方向全体にわたって形成され、
前記第１枠部材は、前記窓間空間の上から下へと垂れ下がった前記遮光部材の両側端部と前記窓間空間の屋内外方向に重なるように構成されることを特徴とする。
【００１０】
第１窓サッシ枠（以下、外窓）と第２窓サッシ枠（以下、内窓）との窓間空間に遮光部材が設けられた場合、窓間空間と遮光部材との隙間から光漏れが生じる。特に、窓間空間の幅方向側部における遮光部材との隙間からの光漏れ（以下、窓間空間の側部からの光漏れ）は、高さ方向に幅のある光であるため、屋内側の空間によってはその光を避けて移動することが手間である又は不可能の場合がある。そのため、窓間空間の側部からの光漏れは屋内側の人の目に直接入射する可能性が高く、不快感を生じやすい。
【００１１】
第１の発明によれば、窓間空間の幅方向両側面において、対向する面に向かって突出する第１枠部材が備えられている。第１枠部材は、窓間空間の両側面の上下方向全体にわたって形成されており、遮光部材が窓間空間の上から下へと垂れ下がった遮光部材の両側端部と窓間空間の屋内外方向に重なるように構成される。これにより、第１枠部材は、窓間空間の側部からの光漏れを遮り、不快感を生じやすい窓間空間の側部からの光漏れを抑制する。すなわち、第１枠部材を設けることにより第１空間から第２空間への光漏れを減少させることができ、窓構造の遮光性を高めることができる。
【００１２】
第２の発明の建物の窓構造は、第１の発明において、
前記窓間空間の下面において、対向する上面に向かって突出する第２枠部材が前記窓間空間の幅方向全体にわたって形成され、
前記第２枠部材は、前記窓間空間の上から下へと垂れ下がった前記遮光部材の下端部と前記窓間空間の屋内外方向に重なるように構成され、
前記窓間空間の上面において、対向する下面に向かって突出する第３枠部材が前記窓間空間の幅方向全体にわたって形成され、
前記第３枠部材は、前記遮光装置と前記窓間空間の上面との間の空間を隠すように配置されることを特徴とする。
【００１３】
第２の発明によれば、窓間空間の下面及び上面において、対向する面に向かって突出する第２枠部材及び第３枠部材が備えられている。第２枠部材及び第３枠部材は、それぞれ窓間空間の幅方向全体にわたって形成されている。第２枠部材は、遮光部材が窓間空間の上から下へと垂れ下がった遮光部材の下端部と窓間空間の屋内外方向に重なるように構成される。第３枠部材は、遮光装置と窓間空間の上面との間の空間を隠すように配置される。これにより、第２枠部材は、例えば、窓間空間の下部における遮光部材との隙間からの光漏れ（以下、窓間空間の下部からの光漏れ）を遮り、第３枠部材は、窓間空間の上部における遮光部材との隙間からの光漏れ（以下、窓間空間の上部からの光漏れ）を遮り、よって、第２枠部材及び第３枠部材により窓間空間の上下部からの光漏れを抑制することができる。すなわち、第２の発明によれば、窓間空間の幅方向両側部、下部及び上部において、第１枠部材、第２枠部材及び第３枠部材（以下、まとめて「枠部材」と称する）が形成されているため、第１空間から第２空間への光漏れをさらに減少させることができ、窓構造の遮光性をさらに高めることができる。
【００１４】
また、第２の発明によれば、窓間空間の幅方向両側部、下部及び上部に枠部材が形成されているため、遮光部材と枠部材とにより、第２空間への光の入射が遮られている。すなわち、内窓及び屋内側の空間には太陽光が照射されない。
【００１５】
太陽光は物に照射されると、吸収されて熱エネルギ（輻射熱）へと変換される。この輻射熱により赤外線波長の電磁波として物から熱が放射される。赤外線波長の電磁波はガラスを透過しない。そのため、例えば、内窓の屋内側に遮光部材を設けた場合、太陽光を吸収した遮光部材から熱放射がされると、放射された熱は屋内側に留まり、屋内側の空間の温度上昇につながってしまう。
【００１６】
一方、第２の発明によれば、内窓の屋外側に遮光部材を設けているため、外窓を透過して入射する太陽光が枠部材と遮光部材とに照射され、枠部材と遮光部材とから赤外線波長の電磁波が放射される。この赤外線波長の電磁波は内窓により遮られるため、屋内側の空間は枠部材と遮光部材とからの熱放射による影響（温度上昇）が抑制される。また、内窓及び屋内側の空間には太陽光が照射されないため、内窓付近の屋内側の空間において輻射熱が生じることがない。そのため、輻射熱によって放射された熱により屋内側の空間が温度上昇することがない。よって、第２の発明によれば、屋内側の空間が遮熱され、夏場等においてより快適な空間が提供できる。
【００１７】
第３の発明の建物の窓構造は、第２の発明において、
前記遮光装置が、軸部を備えており、前記軸部に前記遮光部材を巻回することにより前記遮光部材を収納する構成とされており、
前記第１枠部材、前記第２枠部材及び前記第３枠部材は、前記軸部からの前記遮光部材の繰り出し側に設けられることを特徴とする。
【００１８】
第３の発明によれば、遮光装置は、遮光部材を軸部に巻回することにより収納する構成とされる。すなわち、遮光装置は、軸部と軸部に巻回されている遮光部材とで構成される部分（以下、軸巻部）を有している。このような遮光装置は、軸巻部の上部から遮光部材が引き出される（繰り出される）。枠部材を遮光部材の繰り出し側に設けることにより、上から下へと垂れ下がった遮光部材の四辺が枠部材と屋内外方向においてより接近して配置できる。これにより、枠部材による光漏れ抑制効果がより効果的に発揮できる。
【００１９】
第４の発明の建物の窓構造は、第３の発明において、
前記窓間空間の屋内外方向における前記遮光装置と前記第３枠部材との間、かつ前記窓間空間の高さ方向における前記遮光装置の前記軸部と前記窓間空間の上面との間に位置決め部材が設けられ、
前記遮光部材は、前記位置決め部材の上部を経由して前記窓間空間の上から下へと垂れ下がることを特徴とする。
【００２０】
遮光装置は、その遮光部材を全て軸部に巻回した（すなわち、収納した）状態で窓間空間内の上部に設置される。この設置状態で、遮光部材を軸巻部から引き出していくと、遮光部材の巻回されている量が減り、軸巻部の半径方向における厚み（以下、軸巻部の厚み）が減少する。したがって、第２空間を遮光部材により遮光した状態においては、初期の設置状態（すなわち、遮光部材を全て軸部に巻回した状態）のときと比べて、軸巻部の厚みが減少した状態となる。
【００２１】
軸巻部の厚みが減少すると、遮光部材が繰り出される繰り出し位置は、高さ方向及び屋内外方向において軸部側に寄る。遮光部材は繰り出し位置から垂れ下がるため、軸巻部の厚みの減少により、高さ方向における遮光部材の上部位置、及び屋内外方向における遮光部材の位置（詳しくは、遮光部材により形成される面の位置）も軸部側に寄ることになる。すなわち、第２空間を遮光部材により遮光した状態においては、高さ方向における窓間空間の上面と遮光部材との間の距離、及び屋内外方向における第３枠部材と遮光部材との間の距離が、初期の設置状態のときと比べて広くなる。
【００２２】
初期の設置状態と遮光した状態とで上記の距離が広がる場合、第３枠部材の光漏れ抑制効果が低減するおそれがある。すなわち、屋内外方向における第３枠部材と遮光部材との間の距離が広がると、窓間空間の上面と遮光部材との隙間から入射した光が広がり、この光漏れを第３枠部材により遮ることができないおそれがある。また、高さ方向における窓間空間の上面と遮光部材との間の距離（隙間）が広がると、光の入射面積が増えてしまい、第３枠部材によりその隙間が遮られたとしても、その隙間の周辺から光が漏れるおそれがある。
【００２３】
第４の発明によれば、窓間空間の屋内外方向における遮光装置と第３枠部材との間、かつ窓間空間の高さ方向における遮光装置の軸部と窓間空間の上面との間には位置決め部材が設けられ、遮光部材は、位置決め部材の上部を経由して窓間空間の上から下へと垂れ下がる。これにより、位置決め部材によって遮光部材の垂れ下がりの開始位置を定めることができ、高さ方向における遮光部材の上部位置、及び屋内外方向における遮光部材の位置が定まる。すなわち、高さ方向における窓間空間の上面と遮光部材との間の距離、及び屋内外方向における第３枠部材と遮光部材との間の距離を一定のものとすることができる。よって、初期の設置状態と遮光した状態との間で生じる上記の距離の変動を回避することができ、第３枠部材により窓間空間の上部からの光漏れが効果的に抑制できる。
【００２４】
第５の発明の建物の窓構造は、第１〜４の発明のいずれかにおいて、屋内外方向における前記第１空間の厚みと前記第２空間の厚みとが、前記第１空間：前記第２空間＝４〜６：６〜４の比であることを特徴とする。
【００２５】
第１空間と第２空間との屋内外方向における厚みの比が上記範囲であることにより、第１空間及び第２空間のそれぞれの空間で空気の対流発生を抑制することができる。すなわち、遮光部材により第１空間と第２空間とを上記範囲の厚みの比となるように仕切ることによって断熱効果が得られ、屋内側の空間の断熱性を高めることができる。
【００２６】
第６の発明の建物の窓構造は、第１〜５の発明のいずれかにおいて、前記第１空間及び前記第２空間の屋内外方向における厚みは、３０ｍｍ以下であることを特徴とする。
【００２７】
第１空間及び第２空間の屋内外方向における厚みが３０ｍｍ以下であることにより、第１空間及び第２空間においてそれぞれ空気の対流発生をさらに効果的に抑制することができる。すなわち、第６の発明によれば、遮光部材を設けることにより得られる断熱効果を高め、屋内側の空間の断熱性をさらに高めることができる。
【００２８】
第７の発明の建物の窓構造は、第１〜６の発明のいずれかにおいて、前記第１空間の屋内外方向における厚みは、２０ｍｍ以上であることを特徴とする。
【００２９】
外窓と遮光部材とが近い距離で配置されると、外窓に取り付けられる錠（例えば、クレセント錠）が遮光部材と干渉するおそれがある。特に、遮光部材を垂れ下げた状態で錠の開閉を行う場合、錠が遮光部材と干渉し、作業性が悪い。第１空間の屋内外方向の厚みを２０ｍｍ以上とすることにより、錠と遮光部材との干渉が回避でき、錠の開閉がしやすくなり、作業性が向上する。
【図面の簡単な説明】
【００３０】
【図１】本実施形態の建物の窓構造を示す横断面図。
【図２】図１のＡ−Ａ線に沿って示す建物の窓構造の縦断面図。
【発明を実施するための形態】
【００３１】
以下、本発明を具体化した一実施形態について図面を参照しつつ説明する。図１、図２は、本発明による一実施の形態を説明するための図である。このうち図１は、二重窓１０を示す横断面図である。図２は、図１のＡ−Ａ断面図（すなわち、図１の二重窓１０の縦断面図）である。
【００３２】
図１及び図２に示すように、隣り合う屋外１１と屋内１２との間において、屋外１１及び屋内１２に向けて開口した開口部１３が設けられている。開口部１３の内周面には額縁Ｆが取り付けられ、額縁Ｆには二重窓１０が設置されている。二重窓１０は、外窓２０と、内窓３０とを備えている。
【００３３】
以下では、外窓２０と内窓３０との間の空間を窓間空間と称する。本実施形態においては、窓間空間は、上面、下面及び両側面が額縁Ｆの内周面で仕切られている。具体的には、窓間空間の内周面における上面（以下、窓間空間の上面）は額縁Ｆの上枠の内周面（下面）であり、窓間空間の内周面における下面（以下、窓間空間の下面）は額縁Ｆの下枠の内周面（上面）であり、窓間空間の内周面における側面（以下、窓間空間の側面）は額縁Ｆの縦枠の内周面である。また、以下では、屋外１１及び屋内１２に向けた方向を開口方向ｄ１と称し、開口方向ｄ１に直交する方向を間口方向ｄ２と称し、開口部１３の上下方向を高さ方向ｄ３と称する。開口方向ｄ１が窓間空間の屋内外方向に相当し、間口方向ｄ２が窓間空間の幅方向に相当する。
【００３４】
額縁Ｆ及び外窓２０は、建物の建築時に取り付けられた窓枠及び窓である。外窓２０は、外窓枠２１と、障子２２とを備えており、障子２２は上框２３ａ、下框２３ｂ、左右の縦框２３ｃ及びガラスパネル２４を框組みして構成されている。外窓２０は開口部１３内に設けられており、内付け窓とされている。外窓枠２１は、その屋内側の端面が額縁Ｆの屋外側の端面に取り付けられている。外窓枠２１の屋外側の端面は、建物の外壁１４の面と平坦となるように配置されている。外窓２０は、一枚のガラスパネル２４で構成された単層ガラスの窓であり、外窓枠２１において、障子２２が２つ配置された引き違い窓で構成されている。
【００３５】
外窓枠２１は、間口方向ｄ２に延びるレール２５を備える。外窓２０において、障子２２は、その外周縁（すなわち、各框２３ａ〜２３ｃ）を外窓枠２１に保持された状態で、レール２５に沿って移動可能である。換言すれば、障子２２は、各框２３ａ〜２３ｃを摺動可能な状態で外窓枠２１により保持されている。
【００３６】
内窓３０は、外窓２０よりも屋内１２側に配置され、開口部１３の断熱性及び遮音性を確保するために新たに取り付けられた窓である。内窓３０は、内窓枠３１と、障子３２とを備えており、障子３２は上框３３ａ、下框３３ｂ、左右の縦框３３ｃ及びガラスパネル３４を框組みして構成されている。内窓３０は内付け窓とされており、開口部１３内に設けられている。内窓枠３１は、額縁Ｆの内周面に取り付けられており、内窓枠３１の屋内１２側の端面が建物の内壁１５に沿うように取り付けられている。内窓３０は、二枚のガラスパネル３４で構成された複層ガラスの窓であり、内窓枠３１において、障子３２が２つ配置された引き違い窓で構成されている。
【００３７】
内窓枠３１は、間口方向ｄ２に延びるレール３５を備える。内窓３０において、障子３２は、その外周縁（すなわち、各框３３ａ〜３３ｃ）を内窓枠３１に保持された状態で、レール３５に沿って移動可能である。換言すれば、障子３２は、各框３３ａ〜３３ｃを摺動可能な状態で内窓枠３１により保持されている。
【００３８】
図１及び図２に示すように、開口部１３において、開口方向ｄ１における外窓２０と内窓３０との間には、追加枠５０が設けられている。追加枠５０は、後述のロールスクリーン４０からの光漏れを遮るために設けられるものであり、額縁Ｆの内周面に取り付けられている。追加枠５０は、内窓枠３１の側面と同程度の立ち上がりとされ、内窓枠３１に沿って額縁Ｆの全内周において設けられている。
【００３９】
追加枠５０は、その内周面がその側部と同一平面となるように平坦とされている。追加枠５０は、内窓枠３１に隣接して設けられており、より詳しくは内窓枠３１と隙間なく隣接して配置されている。隙間なく隣接されることにより、ほこり等が入り込む隙間がないため、掃除の煩わしさが低減できる。
【００４０】
窓間空間の上部には、開口方向ｄ１における外窓２０と追加枠５０との間にロールスクリーン４０が設けられている。図２に示すように、ロールスクリーン４０は、軸部４１と、スクリーン４２とを備えている。ロールスクリーン４０は、スクリーン４２を軸部４１に巻回することにより収納する。軸部４１の軸方向への長さは、間口方向ｄ２における窓間空間の長さとほぼ同じ長さとなっている。例えば、窓間空間の両側面上部において軸部４１を固定する取付具が取り付けられており、この取付具に軸部４１の軸方向端部を取り付けて固定することにより、ロールスクリーン４０は窓間空間の上部に取り付けられている（図示略）。
【００４１】
スクリーン４２は、布等により形成されており、軸部４１に巻回可能となっている。スクリーン４２を構成する布は遮光性又は遮熱性の少なくとも一方を備える布とするのが好ましく、これにより、本実施形態の遮光性又は遮熱性をより高めることができる。
【００４２】
ロールスクリーン４０は、スクリーン４２を軸部４１に巻き上げたり軸部４１から引き出したりすることにより、スクリーン４２を上下に開閉することができる。ロールスクリーン４０は、軸部４１と軸部４１に巻回されているスクリーン４２とで構成される部分（以下、軸巻部４４）を有しており、軸巻部４４の上部からスクリーン４２が引き出される（繰り出される）。ロールスクリーン４０は、スクリーン４２の繰り出し側が追加枠５０となるように設けられている。スクリーン４２の繰り出し側に追加枠５０を設けることにより、垂れ下がったスクリーン４２の四辺において追加枠５０と開口方向ｄ１においてより接近して配置できる。これにより、追加枠５０による光漏れ抑制効果がより効果的に発揮できる。
【００４３】
スクリーン４２の間口方向ｄ２の長さ（すなわち、軸部４１の軸方向の長さ）は、軸部４１の長さより少し短く（例えば、１〜４ｃｍ短く）なっている。軸部４１は、窓間空間の両側面上部に設けられた取付具との取付のためのスペースが必要である。そのため、軸部４１の軸方向両端部において、例えば、端部から０．５〜２ｃｍはその取付のためのスペースとされ、軸部４１の中央にスクリーン４２が巻回される。すなわち、スクリーン４２は、軸部４１から引き出されて下方に閉じられた場合、窓間空間の間口方向ｄ２の断面全体を覆うことができず、スクリーン４２の両側部と窓間空間の両側面との間には隙間が生じる。
【００４４】
ここで、本実施形態では、追加枠５０の縦枠が、垂れ下がるスクリーン４２の両側端部に隣接して、そのスクリーン４２の両側端部と窓間空間の開口方向ｄ１において重複するように設けられている。すなわち、追加枠５０の縦枠のスクリーン４２側の端面が、スクリーン４２の両側端部と重なり合う。追加枠５０の縦枠は、スクリーン４２の両側端部と開口方向ｄ１に重なり合うことにより、窓間空間の両側面とスクリーン４２の両側部との隙間を隠すことができる。これにより、追加枠５０の縦枠は、窓間空間の両側面とスクリーン４２の両側部との隙間から漏れる光を遮ることができる。すなわち、人の目に直接入射する可能性が高く、屋内１２側にいる人にとって不快感を生じやすい窓間空間の側部からの光漏れを、追加枠５０の縦枠を設けることにより抑制することができる。追加枠５０の縦枠が、第１枠部材に相当する。
【００４５】
スクリーン４２の長さは、スクリーン４２が軸部４１から引き出されて下方に閉じられた場合、高さ方向ｄ３における窓間空間の長さとほぼ同じとなるように構成されている。具体的には、スクリーン４２は、スクリーン４２の下端部が窓間空間の下面に接触しない程度の長さで引き出されて閉じられるのが好ましい。スクリーン４２は、窓間空間の開口面（断面全体）を覆っていないため、スクリーン４２の下部と窓間空間の下面との間にはわずかな隙間が生じる。
【００４６】
本実施形態では、スクリーン４２の下端部（スクリーン４２が引き出されて垂れ下がった際の下端部）に沿ってマグネット４３が装着されている。マグネット４３は、付着面となる平坦な面を有する形状が好ましい。追加枠５０の下枠において、スクリーン４２側の端面には、例えばマグネット塗料等が塗布され、マグネット４３が付着するようにされている。追加枠５０の下枠を、鉄等を含む素材とし、追加枠５０の下枠にマグネット４３が付着するようにしてもよい。
【００４７】
本実施形態では、スクリーン４２が軸部４１から引き出されて下方に閉じられた場合、追加枠５０の下枠が、垂れ下がるスクリーン４２の下端部に隣接して、そのスクリーン４２の下端部と開口方向ｄ１に重複するように設けられている。すなわち、追加枠５０の下枠のスクリーン４２側の端面が、スクリーン４２の下端部と重なり合う。追加枠５０の下枠は、スクリーン４２の下端部と開口方向ｄ１に重なり合うことにより、窓間空間の下面とスクリーン４２の下部との隙間を隠すことができる。これにより、追加枠５０の下枠は、開口部１３の下面とスクリーン４２の下部との隙間から漏れる光を遮ることができる。さらに、スクリーン４２側の下端部にマグネット４３が装着されていることにより、スクリーン４２の下端部は追加枠５０の下枠（より詳しくは、追加枠５０の下枠のスクリーン４２側の端面）とくっつくことができる。これにより、窓間空間の下面とスクリーン４２の下部との隙間からの光漏れが、追加枠５０の下枠により確実に遮ることができる。追加枠５０の下枠が、第２枠部材に相当する。
【００４８】
ロールスクリーン４０は、スクリーン４２を全て軸部４１に巻回した（すなわち、収納した）状態で窓間空間の上部に設置される。本実施形態では、ロールスクリーン４０は追加枠５０の上枠付近に設置される。この設置状態で、軸巻部４４からスクリーン４２を引き出していくと、スクリーン４２の巻回されている量が減り、軸巻部４４の半径方向における厚み（以下、軸巻部４４の厚み）が減少する。
【００４９】
したがって、内窓空間１７をスクリーン４２により遮光した状態においては、初期の設置状態（すなわち、スクリーン４２を全て軸部４１に巻回した状態）のときと比べて、軸巻部４４の厚みが減少した状態となる。軸巻部４４の厚みが減少すると、スクリーン４２が繰り出される繰り出し位置は、高さ方向ｄ３及び開口方向ｄ１において軸部４１側に寄る。スクリーン４２は繰り出し位置から垂れ下がるため、軸巻部４４の厚みの減少により、高さ方向ｄ３におけるスクリーン４２の上部位置、及び開口方向ｄ１におけるスクリーン４２の位置（詳しくは、スクリーン４２により形成される面の位置）も軸部４１側に寄ることになる。これにより、内窓空間１７をスクリーン４２により遮光した状態においては、（ａ）高さ方向ｄ３における窓間空間の上面とスクリーン４２との間の距離（隙間）、及び（ｂ）開口方向ｄ１における追加枠５０の上枠とスクリーン４２との間の距離（隙間）が、初期の設置状態のときと比べて広くなる。
【００５０】
ここで、窓間空間の上部において、追加枠５０とロールスクリーン４０との間には、位置決め部４５が設けられている。具体的には、位置決め部４５は、開口方向ｄ１におけるロールスクリーン４０と追加枠５０との間、かつ高さ方向ｄ３におけるロールスクリーン４０の軸部４１と窓間空間の上面との間に設けられている。位置決め部４５は、間口方向ｄ２に延びた長尺形状であり、その長手方向の長さは間口方向ｄ２における窓間空間の長さとほぼ同じ長さとなっている。位置決め部４５は、例えば、追加枠５０の上枠と平行に取り付けた突っ張り棒である。図２に示すように、軸部４１から引き出されたスクリーン４２は、下方に垂れ下がる際に位置決め部４５の上部を経由するように構成されている。
【００５１】
本実施形態では、スクリーン４２が位置決め部４５の上部を経由して下方に垂れ下がることにより、スクリーン４２の垂れ下がりの開始位置を定めている。これにより、高さ方向ｄ３におけるスクリーン４２の上部位置、及び開口方向ｄ１におけるスクリーン４２の位置が定まる。すなわち、窓間空間の上部における隙間からの光漏れは、窓間空間の上面と位置決め部４５との間の隙間からの光漏れに基づく。また、開口方向ｄ１における追加枠５０の上枠とスクリーン４２との間の距離（隙間）は、開口方向ｄ１における追加枠５０の上枠と位置決め部４５との間の距離（隙間）に基づく。よって、位置決め部４５により、初期の設置状態と遮光した状態との間で生じる（ａ）及び（ｂ）の各間距離の増加を回避することができ、追加枠５０の上枠により窓間空間の上部からの光漏れが効果的に抑制できる。
【００５２】
ここで、位置決め部４５は、窓間空間の上面にできるだけ近づけて配置する。これにより、スクリーン４２（位置決め部４５）と窓間空間の上面との隙間を小さくすることができ、窓間空間の上部における隙間からの光漏れをさらに低減することができる。また、位置決め部４５は、追加枠５０の上枠に開口方向ｄ１においてできるだけ近づけて配置する。具体的には、位置決め部４５は、開口方向ｄ１に追加枠５０の上枠と隣接して、位置決め部４５（スクリーン４２の上端部）と開口方向ｄ１において重複するように設けられている。すなわち、追加枠５０の上枠のスクリーン４２側の端面が、スクリーン４２の上端部と重なり合う。追加枠５０の上枠は、スクリーン４２の上端部と開口方向ｄ１に重なり合うことにより、窓間空間の上面とスクリーン４２との間の隙間を隠すことができる。これにより、追加枠５０の上枠は、窓間空間の上面とスクリーン４２との隙間から漏れる光を遮ることができる。追加枠５０の上枠が、第３枠部材に相当する。
【００５３】
なお、本実施形態では、追加枠５０の上枠は、ロールスクリーン４０の初期の設置状態において窓間空間の上面とロールスクリーン４０との間の空間を隠すように配置されている。そのため、追加枠５０の上枠は、スクリーン４２と窓間空間の上面との間の隙間からの光漏れを遮り、その隙間からの光漏れを抑制することができる。よって、位置決め部４５は、追加枠５０の上枠における光漏れ抑制効果をさらに確実とするために設けられている。すなわち、開口方向ｄ１における追加枠５０とスクリーン４２との間の距離（隙間）が広がると、窓間空間の上面とスクリーン４２との隙間から入射した光が広がり、この光漏れを追加枠５０の上枠により遮ることができないおそれがある。また、高さ方向ｄ３における窓間空間の上面とスクリーン４２との間の距離（隙間）が広がると、光の入射面積が増えてしまい、追加枠５０の上枠によりその隙間が遮られたとしても、その隙間の周辺から光が漏れるおそれがある。すなわち、このような光漏れの抑制効果が低減する状況が位置決め部４５により確実に回避できる。
【００５４】
本実施形態によれば、スクリーン４２と追加枠５０とにより、外窓空間１６から内窓空間１７への光漏れが抑制でき、高い遮光性が実現できる。さらに、内窓空間１７への光の入射が遮られているため、内窓３０及び屋内１２側の空間には太陽光が照射されない。これにより、内窓３０付近の屋内１２側の空間において輻射熱が生じることがないため、輻射熱によって放射された熱により屋内１２側の空間が温度上昇することがない。よって、本実施形態によれば、屋内１２側の空間における遮熱効果が高い。
【００５５】
ここで、スクリーン４２が下方に垂れ下がったことにより、窓間空間において、スクリーン４２と外窓２０とにより仕切られた空間（以下、外窓空間１６）と、スクリーン４２と内窓３０とにより仕切られた空間（以下、内窓空間１７）との二つの空間が形成される。ここで、外窓空間１６において形成される空気層の厚み（すなわち、開口方向ｄ１における外窓空間１６の長さ）Ｌ１としては、スクリーン４２と屋外側の障子２２との間とする。内窓空間１７において形成される空気層の厚み（すなわち、開口方向ｄ１における内窓空間１７の長さ）Ｌ２としては、スクリーン４２と屋内側の障子３２との間とする。
【００５６】
本実施形態では、外窓２０と内窓３０との間の長さ（すなわち、Ｌ１とＬ２とを合算した距離）が６０ｍｍ以下である。この場合、空気層の厚みＬ１，Ｌ２は、防音性と断熱性との観点から、Ｌ１：Ｌ２＝４〜６：６〜４の比であるのが好ましい。空気層の厚みＬ１，Ｌ２の比を上記範囲とすることにより、各空間１６，１７のそれぞれの空間で空気の対流発生を抑制することができ、断熱性能が確保できる。
【００５７】
さらに、本実施形態では、空気層の厚みＬ１，Ｌ２は、それぞれ３０ｍｍ以下とするのが好ましい。これにより、各空間１６，１７においてそれぞれの空間で空気の対流発生をより効果的に抑制することができ、さらに高い断熱性能が確保できる。
【００５８】
また、本実施形態では、外窓空間１６においては、空気層の厚みＬ１が２０ｍｍ以上とする。図１及び図２では図示を省略しているが、外窓２０及び内窓３０には、外窓２０及び内窓３０を施錠するクレセント錠が取り付けられている。外窓２０とスクリーン４２とが近い距離で配置された場合、外窓２０に取り付けられたクレセント錠がスクリーン４２と干渉するおそれがある。特に、スクリーン４２を垂れ下げた状態でクレセント錠の開閉を行う場合、クレセント錠がスクリーン４２と干渉し、作業性が悪い。外窓空間１６の空気層の厚みＬ１を２０ｍｍ以上とすることにより、クレセント錠とスクリーン４２との干渉が回避でき、クレセント錠の開閉がしやすくなり、作業性が向上する。
【００５９】
以上詳述した本実施形態によれば、以下の優れた効果が得られる。
【００６０】
（１）本実施形態では、外窓２０と内窓３０との間に、軸部４１とスクリーン４２とを備えるロールスクリーン４０が設けられ、スクリーン４２が上から下へと垂れ下がることにより、外窓空間１６と内窓空間１７とが仕切られ、内窓空間１７が遮光される。このようなロールスクリーン４０は、スクリーン４２が外窓２０と内窓３０とを備える窓間空間の開口面（断面）全体を覆うことができないため、スクリーン４２の四辺から光漏れが生じる。すなわち、内窓空間１７には、窓間空間の上面、下面及び側面（以下、窓間空間の各面）とスクリーン４２の四辺との隙間から光が漏れて光が入射してくる。
【００６１】
本実施形態によれば、内窓空間１７においては、窓間空間の全内周において、内窓枠３１に沿って追加枠５０が形成されている。追加枠５０は、スクリーン４２が軸部４１から引き出されて下方に閉じられた場合、スクリーン４２の四辺に隣接して、そのスクリーン４２の端部と開口方向ｄ１に重複するように設けられている。すなわち、追加枠５０は、スクリーン４２の端部と重なり合うことにより、窓間空間の各面とスクリーン４２の四辺との隙間を隠すことができる。これにより、追加枠５０は、窓間空間の各面とスクリーン４２の四辺との隙間から漏れる光を遮ることができ、内窓空間１７への光の入射を抑制することができ、遮光性を高めることができる。
【００６２】
（２）本実施形態によれば、外窓２０を透過して入射する太陽光は追加枠５０とスクリーン４２とにより内窓空間１７への入射が遮られ、よって、内窓３０及び屋内１２側の空間には太陽光が照射されない。そして、太陽光が照射された追加枠５０とスクリーン４２とから輻射熱により赤外線波長の電磁波が放射される。この赤外線波長の電磁波は内窓３０により遮られるため、屋内１２側の空間は追加枠５０とスクリーン４２との熱放射による影響（温度上昇）が抑制される。また、内窓３０及び屋内１２側の空間には太陽光が照射されないため、内窓３０付近の屋内１２側の空間において輻射熱が生じることがない。そのため、輻射熱によって放射された熱により屋内１２側の空間が温度上昇することがない。よって、本実施形態によれば、屋内１２側の空間が遮熱され、夏場等においてより快適な空間が提供できる。
【００６３】
（３）ロールスクリーン４０は、スクリーン４２を全て軸部４１に巻回した（すなわち、収納した）状態で窓間空間の上部に設置される。したがって、内窓空間１７をスクリーン４２により遮光した状態においては、初期の設置状態（すなわち、スクリーン４２を全て軸部４１に巻回した状態）のときと比べて、軸巻部４４の厚みが減少した状態となる。軸巻部４４の厚みが減少することに基づいて、内窓空間１７をスクリーン４２により遮光した状態においては、（ａ）高さ方向ｄ３における窓間空間の上面とスクリーン４２との間の距離、及び（ｂ）開口方向ｄ１における追加枠５０の上枠とスクリーン４２との間の距離が、初期の設置状態のときと比べて広くなる。初期の設置状態と遮光した状態とで（ａ）及び（ｂ）の各間距離が広がる場合、追加枠５０の上枠の光漏れ抑制効果が低減するおそれがある。
【００６４】
本実施形態では、スクリーン４２が位置決め部４５の上部を経由して下方に垂れ下がることにより、スクリーン４２の垂れ下がりの開始位置を定めている。これにより、高さ方向ｄ３におけるスクリーン４２の上部位置、及び開口方向ｄ１におけるスクリーン４２の位置が定まる。よって、位置決め部４５により、初期の設置状態と遮光した状態との間で生じる（ａ）及び（ｂ）の各間距離の増加を回避することができ、追加枠５０の上枠により窓間空間の上部からの光漏れが効果的に抑制できる。
【００６５】
（４）本実施形態によれば、スクリーン４２の下端部（スクリーン４２が垂れ下がった際の下端部）に沿ってマグネット４３が装着されている。追加枠５０の下枠のスクリーン４２側の端面には、例えばマグネット塗料等を塗布して、マグネット４３が付着するようにされている。これにより、スクリーン４２が軸部４１から引き出されて下方に閉じられた場合、スクリーン４２側の下端部が追加枠５０の下枠とくっつくことができる。よって、開口部１３の下面とスクリーン４２の下部との隙間からの光漏れが、追加枠５０の下枠により確実に遮ることができる。
【００６６】
（５）本実施形態によれば、外窓２０と内窓３０との間の長さ（すなわち、Ｌ１とＬ２とを合算した距離）が６０ｍｍ以下であり、外窓空間１６及び内窓空間１７の空気層の厚みＬ１，Ｌ２の比が、Ｌ１：Ｌ２＝４〜６：６〜４である。これにより、外窓空間１６及び内窓空間１７においてそれぞれ空気の対流発生を抑制することができる。すなわち、スクリーン４２により外窓空間１６及び内窓空間１７の空気層の厚みＬ１，Ｌ２を上記範囲の比となるように仕切ることによって断熱効果が得られ、屋内１２側の空間の断熱性を高めることができる。
【００６７】
（６）本実施形態によれば、外窓空間１６及び内窓空間１７の空気層の厚みＬ１，Ｌ２は、３０ｍｍ以下である。これにより、外窓空間１６及び内窓空間１７においてそれぞれ空気の対流発生をさらに効果的に抑制することができる。
【００６８】
（７）本実施形態によれば、外窓空間１６の開口方向ｄ１における厚みＬ１は、２０ｍｍ以上である。外窓２０に取り付けられたクレセント錠の開閉時にスクリーン４２とクレセント錠とが干渉すると、作業性が悪い。外窓空間１６の開口方向ｄ１における厚みＬ１を上記範囲とすることにより、開閉時におけるクレセント錠とスクリーン４２との干渉を回避でき、錠の開閉がしやすくなり、作業性が向上する。
【００６９】
本発明は上記実施形態の記載内容に限定されず、例えば次のように実施されてもよい。
【００７０】
・上記実施形態では外窓２０及び内窓３０を内付け窓としたが、これに制限されず、外付け窓、半外付け窓であってもよい。
【００７１】
・上記実施形態では内窓３０をレール３５により開口部１３の間口方向ｄ２に沿って摺動可能としたが、内窓３０は、例えば、外窓２０に対して、例えば、回転可能（例えば、内開き）、傾斜可能（例えば、内倒し）であってもよい。
【００７２】
・上記実施形態では、追加枠５０は額縁Ｆの内周面全体において形成されているが、例えば、窓（開口部１３）の設置された場所に応じて、追加枠５０を額縁Ｆの内周面側部のみの枠、又は額縁Ｆの内周面側部及び上部の枠等としてもよい。すなわち、窓の設置された場所により、屋内１２側にいる人の目へ入射しやすい隙間の位置が変動する。人の目に入射しやすい隙間において、追加枠５０が存在するようにすれば、防眩性が確保できる。
【００７３】
・上記実施形態では、遮光部材をロールスクリーン４０としたが、例えばシェードカーテン、ドレープカーテン等であってもよい。限られた空間を有効に利用するという観点ではロールスクリーン４０が好ましいが、例えば、シェードカーテン、ドレープカーテンであれば、位置決め部４５を設けなくてもよいという利点がある。すなわち、シェードカーテンであれば、追加枠５０により窓間空間の各面とシェードカーテンの四辺との隙間からの光漏れを十分に抑制できる。ドレープカーテンの場合は、片開きのカーテンとすることが必要であり、これにより追加枠５０により窓間空間の各面とドレープカーテンの四辺との隙間からの光漏れを抑制できる。
【００７４】
・上記実施形態では位置決め部４５が設けられているが、位置決め部４５は必須の構成ではない。位置決め部４５を設けない場合は、例えば、ロールスクリーン４０は、スクリーン４２を収納するための筐体を備えていてもよい。この場合、筐体の下部等からスクリーン４２が引き出せる構成とすればよい。例えば、筐体を開口部１３の上面に取り付けた場合、位置決め部４５を設けなくともロールスクリーン４０（筐体）と窓間空間の上面との隙間を一定の間隔とすることができる。
【００７５】
・上記実施形態では位置決め部４５がロールスクリーン４０とは別の構造体として設けられていたが、例えば、ロールスクリーン４０と位置決め部４５とが一体化されていてもよい。この場合、例えば、軸部４１の軸方向両端部に支持部材を設け、この支持部材により位置決め部４５が保持される構成となる。
【００７６】
・上記実施形態ではスクリーン４２の下端部にマグネット４３が装着されていたが、マグネット４３の代わりに、スクリーン４２の下端部に沿って重りが装着されていてもよい。重りによりスクリーン４２の下端部の位置が定まりやすくなるため、スクリーン４２の下端部の位置のずれが抑制できる。よって、上記実施形態と同様に、スクリーン４２の下端部を追加枠５０の下枠に開口方向ｄ１に重ねて配置することができ、光漏れの抑制効果が得られる。
【００７７】
・上記実施形態では、外窓２０と内窓３０との間の長さ（すなわち、Ｌ１とＬ２とを合算した距離）が６０ｍｍ以下であるが、外窓２０と内窓３０との間の長さが６０ｍｍを超えていてもよい。この場合、ロールスクリーン４０を複数設け、スクリーン４２により仕切られて形成される空気層の厚みがそれぞれ３０ｍｍ以下（好ましくは３０ｍｍ）となるようにロールスクリーン４０を配置するとよい。この際、外窓２０に最も近いスクリーン４２と外窓２０との距離は、クレセント錠との関係から２０ｍｍ以上とするのが好ましい。また、内窓３０に最も近いロールスクリーン４０（スクリーン４２）に対して、上記実施形態と同様の構成の追加枠５０及び位置決め部４５を設ける。これにより上記実施形態と同様の効果が得られる。
【００７８】
または、外窓２０と内窓３０との間の長さが６０ｍｍを超えているが、その間にロールスクリーン４０を一つだけ設ける場合は、ロールスクリーン４０を設置する際に内窓空間１７の空気層の厚みＬ２を３０ｍｍ以下（好ましくは３０ｍｍ）とするのが好ましい。このとき、外窓空間１６の空気層の厚みＬ１は３０ｍｍを超えることになる。内窓３０は、外窓２０に比べて断熱性能の高い窓である。その内窓空間１７の空気層の厚みＬ２を空気の対流発生を抑制できる厚みとすることにより、外窓空間１６の空気層の厚みＬ１が３０ｍｍを超えていたとしても二重窓１０として高い断熱性能が発揮できる。
【符号の説明】
【００７９】
１０…二重窓、１１…屋外、１２…屋内、１３…開口部、１６…第１空間としての外窓空間、１７…第２空間としての内窓空間、２０…第１窓サッシ枠としての外窓、３０…第２窓サッシ枠としての内窓、４０…遮光装置としてのロールスクリーン、４２…遮光部材としてのスクリーン、４５…位置決め部材としての位置決め部、５０…第１枠部材、第２枠部材及び第３枠部材を構成する追加枠、Ｌ１…外窓空間の厚み、Ｌ２…内窓空間の厚み、ｄ１…開口部の開口方向、ｄ２…開口部の間口方向、ｄ３…開口部の高さ方向。
【図１】
2020029701.tif 000003
【図２】
2020029701.tif 000004